(57)【要約】【課題】  折り畳み可能でありながら強度、剛性の低下を抑制することができるコンテナを提供する。【解決手段】  コンテナ１０にあって、コンテナ本体１１は、左右側面板３１Ａ，３１Ｂの前後端から半前面板部３２Ａと半後面板部３２Ｂとを屈曲形成している。該コンテナ本体１１は、厚み７〜１１ｍｍのプラスチックダンボールからなる。該左右側面板３１Ａ，３１Ｂの前後端から半前面板部３２Ａと半後面板部３２Ｂとを屈曲形成した屈曲部分３３にあっては、該プラスチックダンボールをインナレイヤーからＶカットして略９０°折り曲げた状態で溶接し、更にその近傍においてアウタレイヤーからインナレイヤーには達しない切り込み３４を入れて折り畳み可能にした。【選択図】      図１
2008265795.tif 000002
【特許請求の範囲】
【請求項１】
左右側面板の前後端から半前面板部と半後面板部とを屈曲形成したコンテナ本体を、前面被覆部と、後面被覆部と、左右側面被覆部および底面被覆部とからなる布外被内に挿入して該左右側面板の半前面板部同士および半後面板部同士をつき合わせ、該布外被の前面被覆部、後面被覆部、および左右側面被覆部の上縁部を該コンテナ本体の左右側面板、半前面板部、および半後面板部の上縁より所定幅臨出せしめ、該臨出部分を該コンテナ本体の左右側面板、半前面板部および半後面板部の上縁から内側に折り曲げて固定し、該布外被の一方の側面被覆部の上縁からは蓋板被覆部を延設し、該蓋板被覆部内には蓋板を収容し、該底面被覆部上には底板を取り出し可能に載置したコンテナであって、
該コンテナ本体は、厚み７〜１１ｍｍのプラスチックダンボールからなり、該プラスチックダンボールはコルゲート形状またはハニカム形状を前後方向および左右方向に沿うように配置され、また該左右側面板の前後端から半前面板部と半後面板部とを屈曲形成した屈曲部分にあっては、該プラスチックダンボールをインナレイヤーからＶカットして略９０°折り曲げた状態で溶接し、更にその近傍においてアウタレイヤーからインナレイヤーには達しない切り込みを入れて折り畳み可能にした
ことを特徴とするコンテナ。
【発明の詳細な説明】
【技術分野】
【０００１】
本発明は、運送業者等が荷物を運搬するために用いるコンテナに関する。
【背景技術】
【０００２】
従来、運送業者等は、小口配送を行う際、台車にコンテナを載せ、該コンテナに複数の配送品をまとめて収容し、運搬している。該コンテナとしては、例えば特許文献１に示すようなものが挙げられる。該コンテナにおいては、４面（前後及び左右）の周壁部を６枚のボードで形成している。すなわち、該６枚のボードは、それぞれ袋状としたシート材の内部に真空断熱材（板材）を収容して（特許文献１の図２参照）形成され、４面のうち対向する２面は、それぞれ一対のボードをその中央で繋ぐことにより形成されている。また各ボードは、それぞれの外側縁で互いのシート材同士を縫着することにより繋がれている。そして、該コンテナは、各ボードが繋がる箇所を折り曲げることで折り畳むことが出来るようになっている。
【特許文献１】特開２００５−２３９１６６号公報
【発明の開示】
【発明が解決しようとする課題】
【０００３】
ところが、上記従来のコンテナは、周壁部を繋いだ箇所、すなわちコンテナの側縁角部がシート材の縫着によって形成されている。また、袋状としたシート材の内部に収容される真空断熱材、板材は、その厚みが５ｍｍ程度のものである。このような縫着による側縁角部、厚みが５ｍｍ程度の板材等の構成がコンテナの強度、剛性を低下させていた。
本発明は、このような従来技術に存在する問題点に着目してなされたものである。その目的とするところは、折り畳み可能でありながら強度、剛性の低下を抑制することができるコンテナを提供することにある。
【課題を解決するための手段】
【０００４】
上記の目的を達成するために、請求項１に記載のコンテナの発明は、左右側面板の前後端から半前面板部と半後面板部とを屈曲形成したコンテナ本体を、前面被覆部と、後面被覆部と、左右側面被覆部および底面被覆部とからなる布外被内に挿入して該左右側面板の半前面板部同士および半後面板部同士をつき合わせ、該布外被の前面被覆部、後面被覆部、および左右側面被覆部の上縁部を該コンテナ本体の左右側面板、半前面板部、および半後面板部の上縁より所定幅臨出せしめ、該臨出部分を該コンテナ本体の左右側面板、半前面板部および半後面板部の上縁から内側に折り曲げて固定し、該布外被の一方の側面被覆部の上縁からは蓋板被覆部を延設し、該蓋板被覆部内には蓋板を収容し、該底面被覆部上には底板を取り出し可能に載置したコンテナであって、該コンテナ本体は、厚み７〜１１ｍｍのプラスチックダンボールからなり、該プラスチックダンボールはコルゲート形状またはハニカム形状を前後方向および左右方向に沿うように配置され、また該左右側面板の前後端から半前面板部と半後面板部とを屈曲形成した屈曲部分にあっては、該プラスチックダンボールをインナレイヤーからＶカットして略９０°折り曲げた状態で溶接し、更にその近傍においてアウタレイヤーからインナレイヤーには達しない切り込みを入れて折り畳み可能にしたことを要旨とする。
【０００５】
上記構成によれば、コンテナ本体を厚み７〜１１ｍｍのプラスチックダンボールで形成したことにより、剛性が高められている。また左右側面板と半前面板部又は半後面板部との境界となる屈曲部分にあっては、プラスチックダンボールをインナレイヤーからＶカットして略９０°折り曲げた状態で溶接されており、該屈曲部分の強度が高められている。そして、該屈曲部分の近傍においてアウタレイヤーからインナレイヤーには達しない切り込みを入れ、該切り込みで折り曲げることにより、コンテナが折り畳み可能とされる。従って、折り畳み可能な構成とされながらも、屈曲部分を避けて切り込みで折り曲げているため、該屈曲部分における強度を確保している。
【発明の効果】
【０００６】
本発明によれば、折り畳み可能な構成としながら、強度、剛性の低下を抑制することができる。
【発明を実施するための最良の形態】
【０００７】
以下、本発明を具体化した一実施形態について図１〜５を用いて説明する。
図１は実施形態のコンテナを示す分解状態の斜視図であり、図２は実施形態のコンテナを示す斜視図であり、図３は実施形態のコンテナを折り畳んだ状態を示す斜視図である。なお、図３にあっては、見やすくするために図１及び図２に比べて若干拡大して描いている。
コンテナ１０は、コンテナ本体１１と、布外被１２とを備えている。該コンテナ本体１１は、周壁を構成する一対のコ字状板１３と、底壁を構成する底板１４とを有する。布外被１２は、コンテナ本体１１の左右側面をそれぞれ被覆する左側面被覆部１５Ａ及び右側面被覆部１５Ｂと、コンテナ本体１１の前後面をそれぞれ被覆する前面被覆部１６Ａ及び後面被覆部１６Ｂと、コンテナ本体１１の底面を被覆する底面被覆部１７とを有する。また該コンテナ１０は、蓋部１８を備えている。該蓋部１８は、該布外被１２の右側面被覆部１５Ｂの上縁から延設された蓋板被覆部１９と、該蓋板被覆部１９内に収容された蓋板２０とからなる。そして、該コンテナ１０は、底板１４を起き上がらせたうえで、各コ字状板１３を折り畳んだ状態としてから互いに接近させ、各コ字状板１３と重なるように蓋部１８を折り返すことにより、全体として一枚の板状に折り畳むことが出来るようになっている。
【０００８】
さらに、該コンテナ１０においては、該布外被１２の後面被覆部１６Ｂの側縁に、該コンテナ１０を台車などに固定するためのベルト２１が取り付けられている。蓋部１８の前後側縁及び左側縁からは、コンテナ１０の使用時において、該蓋部１８を閉めた状態で固定するための止め片２２が延設されている。これら止め片２２にはそれぞれ面ファスナー２３が設けられるとともに、該止め片２２と対応する位置で左側面被覆部１５Ａ、前面被覆部１６Ａ及び後面被覆部１６Ｂの外面にもまた面ファスナー２３が設けられており、互いの面ファスナー２３を接合して該蓋部１８を固定する。なお、これらベルト２１、止め片２２、面ファスナー２３は、所望に応じて省略して構成してもよい。
【０００９】
該コンテナ本体１１におけるコ字状板１３及び底板１４と、該蓋部１８における蓋板２０は、図４（ａ）に示すような、プラスチックダンボール２５からなる。該プラスチックダンボール２５は、一対のレイヤー２６の間をコア２７で連結しており、該レイヤー２６及び該コア２７のなすコルゲート形状又はハニカム形状を前後方向および左右方向に沿うように配置されてなる。また該プラスチックダンボール２５の厚みは、７〜１１ｍｍである。厚みが７ｍｍ未満の場合、該コンテナ１０が所望とする強度を有さず、厚みが１１ｍｍを超える場合、該プラスチックダンボール２５の加工がしづらくなり、また該コンテナ１０の重量が嵩んでしまう。
【００１０】
該コ字状板１３は、左側面板３１Ａ又は右側面板３１Ｂと、該左側面板３１Ａ又は右側面板３１Ｂの前後端からそれぞれ屈曲形成された半前面板部３２Ａ及び半後面板部３２Ｂとからなる。該左側面板３１Ａ及び右側面板３１Ｂは、それぞれ該コンテナ本体１１の左側壁及び右側壁を構成する。各コ字状板１３において、半前面板部３２Ａ同士および半後面板部３２Ｂ同士は、該コ字状板１３が該布外被１２内に挿入された際につき合わせされており、接合はされていない。半前面板部３２Ａ同士及び半後面板部３２Ｂ同士は、それぞれ該コンテナ本体１１の前壁及び後壁を構成する。そして、該コンテナ１０の折り畳みの際、該コンテナ本体１１の前壁及び後壁は、半前面板部３２Ａ同士および半後面板部３２Ｂ同士をつき合わせた箇所で二つ折りされる。
【００１１】
図４（ｂ）に示すように、該コンテナ本体１１において、該コ字状板１３は、１枚のプラスチックダンボール２５から屈曲形成されている。すなわち、該コ字状板１３において、該左側面板３１Ａ（又は右側面板３１Ｂ）の前後端から半前面板部３２Ａ（又は半後面板部３２Ｂ）を屈曲形成した屈曲部分３３は、該プラスチックダンボール２５を、一対のレイヤー２６のうち該コンテナ本体１１の内側となるインナレイヤー２６ＡからＶカット（カット線を図４（ｂ）にＶとして指示）したうえで、略９０°折り曲げた状態として溶接することによって形成されている。
また更に、屈曲部分３３の近傍においては、該プラスチックダンボール２５に対し、一対のレイヤー２６のうち該コンテナ本体１１の外側となるアウタレイヤー２６Ｂからインナレイヤー２６Ａには達しない切り込み３４を入れている。そして、該切り込み３４においては、インナレイヤー２６Ａの切断されていない箇所をヒンジ中心とし、半前面板部３２Ａ（又は半後面板部３２Ｂ）が回動自在となるため、該コンテナ本体１１の該コ字状板１３が一枚の板状に折り畳み可能となる。
【００１２】
該布外被１２は、所定形状に裁断した一枚又は複数枚のシート材を略箱状に縫製して形成されている。該布外被１２にあっては、左側面被覆部１５Ａ、前面被覆部１６Ａ及び後面被覆部１６Ｂの上縁部を、該コンテナ本体１１の左側面板３１Ａ、半前面板部３２Ａ及び半後面板部３２Ｂの上縁より所定幅だけ臨出せしめることにより、臨出部分３５が形成されている。該臨出部分３５は、該布外被１２内に該コンテナ本体１１が収容された状態で、左側面板３１Ａ、半前面板部３２Ａ及び半後面板部３２Ｂの上縁から該コンテナ本体１１の内側に折り曲げられている。さらに、該臨出部分３５が該コンテナ本体１１の内側に折り曲げられた状態で、左側面板３１Ａ、半前面板部３２Ａ及び半後面板部３２Ｂの上縁に外被固定枠３６が嵌め込まれることにより、該臨出部分３５は、該コンテナ本体１１の上縁に固定されている。
【００１３】
図５（ａ），（ｂ）に示すように、半前面板部３２Ａ（又は半後面板部３２Ｂ）の上縁にあって、半前面板部３２Ａ同士（又は半後面板部３２Ｂ同士）がつき合わされる角部には、段差状の切欠き３７が形成されている。また前面被覆部１６Ａ（又は後面被覆部１６Ｂ）の臨出部分３５にあって、該切欠き３７に応じる位置には、Ｕ字切欠き３８が形成されている。該Ｕ字切欠き３８を設けることにより、該コンテナ１０の折り畳みの際、該布外被１２が半前面板部３２Ａ同士（又は半後面板部３２Ｂ同士）の間に干渉することを防止しており、折り畳みをしやすくしている。
【００１４】
該コンテナ１０において、該コンテナ本体１１の底板１４は、一対のコ字状板１３の内側に嵌め入れたうえで、該布外被１２の底面被覆部１７上に載置されており、該コンテナ１０内から取り出し可能とされている。また該底板１４の一側縁（左側縁）には、該コンテナ１０内から指を掛けて取り出しやすくするため、指掛け３９が切欠き形成されている。そして、該コンテナ１０を折り畳むとき、底板１４は、指掛け３９に指が掛けられて引き起こされるとともに、折り畳まれた該コ字状板１３において、前面板部３２Ａ及び半後面板部３２Ｂと右側面板３１Ｂ（又は左側面板３１Ａ）との間に挟まれるようにして収容保持される（図３参照）。なお、このように折り畳んだコンテナ１０内に底板１４を収容保持するべく、切り込み３４は、Ｖカットを行う位置から底板１４の厚み分以上離れ、かつ必要以上に離れて該コンテナ１０を折り畳んだときの厚みが増さないように、その位置が設定されている。
【００１５】
上記のように、該コンテナ１０は、プラスチックダンボール２５のインナレイヤー２６ＡからＶカットして折り曲げ、溶接して屈曲部分３３を形成するとともに、屈曲部分３３の近傍にてアウタレイヤー２６Ｂからインナレイヤー２６Ａには達しない切り込み３４を入れ、該切り込み３４で半前面板部３２Ａ（又は半後面板部３２Ｂ）を折り曲げる構成としている。その結果、該コンテナ１０は、折り畳み可能な構成でありながら、一対のコ字状板１３、底板１４、蓋板２０の合計４枚の板材で構成することができる。さらに、切り込み３４で折り曲げる構成とし、使用時、折畳時に係わらず屈曲部分３３はその平面視Ｌ字形状を常に保持しているため、コンテナ本体１１の強度、剛性、特に耐荷重が向上している。
【００１６】
なお、該コンテナ１０は、上記実施形態で挙げた構成に限らず、例えば切り込み３４においてインナレイヤー２６Ａにテープを貼る等して、半前面板部３２Ａ及び半後面板部３２Ｂを折り曲げる箇所を補強してもよい。また半前面板部３２Ａ同士及び半後面板部３２Ｂ同士をつき合わせた状態で、アウタレイヤー２６Ｂにテープを貼る等して、半前面板部３２Ａ同士及び半後面板部３２Ｂ同士を繋げてもよい。
【産業上の利用可能性】
【００１７】
本発明のコンテナは、半前面板部と半後面板部とを左右側面板の前後端から屈曲形成したことにより、半前面板部、半後面板部及び左右側面板が一体形成されており、コンテナ本体は、半前面板部、半後面板部及び左右側面板を構成する二枚と、蓋板と、底板の合計４枚のプラスチックダンボールで構成されている。また該プラスチックダンボールは、厚みが７〜１１ｍｍであり、剛性及び強度が高い。さらに、半前面板部及び半後面板部と左右側面板との屈曲部分は溶接されており、該屈曲部分の近傍に切り込みを入れて半前面板部及び半後面板部を折り曲げるようにしたことで、屈曲部分が常に平面視Ｌ字形状に保持されて剛性を発揮する。従って、本発明のコンテナは、折り畳み可能でありながら、強度、剛性が高く、耐荷重に優れており、運送業者が小口配送等を行うコンテナとして有用である。
【図面の簡単な説明】
【００１８】
【図１】実施形態のコンテナを示す分解斜視図。
【図２】実施形態のコンテナを示す斜視図。
【図３】実施形態のコンテナを折り畳んだ状態を示す斜視図。
【図４】（ａ）はプラスチックダンボールを示す斜視図、（ｂ）は屈曲部分の形成を示す平面図。
【図５】（ａ）は半前面板部同士のつき合わせ部分をコンテナの外側から見た状態を示す斜視図、（ｂ）は半前面板部同士のつき合わせ部分をコンテナの内側から見た状態を示す斜視図。
【符号の説明】
【００１９】
１０    コンテナ
１１    コンテナ本体
１２    布外被
１４    底板
１５Ａ  左側面被覆部
１５Ｂ  右側面被覆部
１６Ａ  前面被覆部
１６Ｂ  後面被覆部
１７    底面被覆部
１９    蓋板被覆部
２０    蓋板
２５    プラスチックダンボール
２６Ａ  インナレイヤー
２６Ｂ  アウタレイヤー
３１Ａ  左側面板
３１Ｂ  右側面板
３２Ａ  半前面板部
３２Ｂ  半後面板部
３３    屈曲部分
３４    切り込み
３５    臨出部分
【図１】
2008265795.tif 000003
【図２】
2008265795.tif 000004
【図３】
2008265795.tif 000005
【図４】
2008265795.tif 000006
【図５】
2008265795.tif 000007